(57)【特許請求の範囲】
【請求項１】
建物外壁の開口部に設けられたガラス窓と、
前記建物外壁の室内側の面から所定の離間寸法を有して配置され前記建物外壁の室内側の面との間に収容空間を形成すると共に、前記ガラス窓の窓面に対向するように配置された蓄熱壁と、
前記収容空間内に、前記蓄熱壁の集熱面の被覆及び開放が自在となるように介装された断熱性を有する遮蔽材と、
を備え、
前記収容空間は、前記室内側の空間からアクセス可能となっている、
ことを特徴とする間接型蓄熱壁構造。
【請求項２】
前記遮蔽材は板状であり、前記収容空間の端部から前記収容空間に出し入れされることで前記集熱面の被覆及び開放を行う、ことを特徴とする請求項１に記載の間接型蓄熱壁構造。
【請求項３】
前記遮蔽材はカーテン状であり、前記収容空間内に設けられたレールに沿って水平方向に移動することで前記集熱面の被覆及び開放を行う、ことを特徴とする請求項１に記載の間接型蓄熱壁構造。
【請求項４】
前記収容空間の端部には、前記収容空間を画成する開閉可能な蓋が設けられている、ことを特徴とする請求項１〜３のいずれか一項に記載の間接型蓄熱壁構造。
【発明の詳細な説明】
【技術分野】
【０００１】
本発明は、太陽光による熱を蓄え、建物の室内空間を温める間接型蓄熱壁構造に関するものである。
【背景技術】
【０００２】
従来、蓄熱壁を用いて室内空間を温める間接型蓄熱壁構造として、例えば、特許文献１に記載されたものがある。この間接型蓄熱壁構造は、建物の室内側からガラス窓の全面を蓄熱壁で覆い、ガラス窓を介して蓄熱壁に太陽光を入射させている。そして、蓄熱壁に太陽光による熱を蓄えさせ、蓄熱壁からの放熱によって室内を暖めている。
【０００３】
このような間接型蓄熱壁構造においては、外気温度が下がる夕方や夜間は、蓄熱壁に蓄えられた熱が屋外に放出されないようにすることが望ましい。特許文献１には、遮光シートを備えたロールブラインドから成る遮光装置を備えることが記載されている。太陽光が蓄熱壁に入射しない時間帯は遮光装置によって蓄熱壁を覆うことで、蓄熱壁から放出される熱線を反射させて熱が屋外へ放出されることを防止している。
【先行技術文献】
【特許文献】
【０００４】
【特許文献１】特開２００７−１６２２５１号公報
【発明の概要】
【発明が解決しようとする課題】
【０００５】
しかしながら、上記特許文献１に記載の間接型蓄熱壁構造においては、ガラス窓と蓄熱壁との間の空間が、室内側の空間と完全に区画されている。このため、ガラス窓と蓄熱壁との間の空間に設けられた遮光装置の状態を、室内側の空間から目視することはできず、遮光装置のトラブル発生時の対応が困難である。また、室内側の空間からガラス窓へ直接アクセスすることはできず、メンテナンス性が悪いといった問題がある。また、ロールブラインド自体の断熱性能は低く、ロールブラインドによる熱遮断効果も低くなる。
【０００６】
そこで本発明は、このような従来技術の有する課題を解決するものであり、蓄熱壁の集熱面の被覆状態を容易に把握することができ、操作性、メンテナンス性のよい間接型蓄熱壁構造を提供することを目的とする。
【課題を解決するための手段】
【０００７】
上記課題を解決すべく、本発明に係る間接型蓄熱壁構造は、建物外壁の開口部に設けられたガラス窓と、建物外壁の室内側の面から所定の離間寸法を有して配置され建物外壁の室内側の面との間に収容空間を形成すると共に、ガラス窓の窓面に対向するように配置された蓄熱壁と、収容空間内に、蓄熱壁の集熱面の被覆及び開放が自在となるように介装された断熱性を有する遮蔽材と、を備え、収容空間は、室内側の空間からアクセス可能となっていることを特徴とする。
【０００８】
この発明では、建物外壁の室内側の面と蓄熱壁との間に形成される収容空間が、室内側の空間からアクセス可能となっている。ここで、収容空間へ室内側からアクセス可能とは、例えば、収容空間内へ室内側から手等を入れたり、収容空間内を室内側から目視したりすることができることを言う。これにより、蓄熱壁の集熱面の被覆及び開放を行う遮蔽材を、室内側から目視しながら容易かつ確実に操作することが可能となり、操作性が向上する。また、室内側から収容空間へアクセス可能となっていることで、収容空間内のメンテナンス性も向上する。
【０００９】
また、遮蔽材は板状であり、収容空間の端部から収容空間に出し入れされることで集熱面の被覆及び開放を行う、ことが好ましい。この場合には、収容空間に板状の遮蔽材を出し入れするだけで、蓄熱壁の集熱面を容易に被覆或いは開放することができる。
【００１０】
また、遮蔽材はカーテン状であり、収容空間内に設けられたレールに沿って水平方向に移動することで集熱面の被覆及び開放を行う、ことが好ましい。この場合には、収容空間内に設けられたカーテン状の遮蔽材を水平方向に移動させるだけで、蓄熱壁の集熱面を容易に被覆或いは開放することができる。
【００１１】
また、収容空間の端部には、収容空間を画成する開閉可能な蓋が設けられている、ことが好ましい。この場合には、収容空間の端部を蓋によって覆うことができるので、蓄熱壁による蓄熱効率を向上させることができる。また、蓋は開閉可能となっているので、遮蔽材を操作する際には蓋を開状態とすることにより遮蔽材の目視が可能となり、操作性が低下することがない。また、収容空間内のメンテナンスを行う際には蓋を開状態とすることにより、収容空間内にアクセスが可能となるため、メンテナンス性が低下することがない。
【発明の効果】
【００１２】
本発明によれば、蓄熱壁の集熱面の被覆状態を容易に把握することができ、操作性、メンテナンス性を向上させることができる。
【図面の簡単な説明】
【００１３】
【図１】第１実施形態に係る間接型蓄熱壁構造を建物の室内側から見た図である。
【図２】図１におけるＩＩ−ＩＩ線に沿った断面図である。
【図３】図１におけるＩＩＩ−ＩＩＩ線に沿った断面図である。
【図４】第２実施形態に係る間接型蓄熱壁構造を建物の室内側から見た図であり、（ａ）は遮蔽材によって蓄熱壁を覆っている状態、（ｂ）は遮蔽材を出し入れしている状態を示す図である。
【図５】第３実施形態に係る間接型蓄熱壁構造を建物の室内側から見た図であり、（ａ）はカーテンによって蓄熱壁を覆っていない状態、（ｂ）はカーテンによって蓄熱壁を覆っている状態を示す図である。
【図６】第４実施形態に係る間接型蓄熱壁構造を建物の室内側から見た図であり、（ａ）はカーテンによって蓄熱壁を覆っていない状態、（ｂ）は間接型蓄壁構造の縦断面を示す図である。
【発明を実施するための形態】
【００１４】
以下、図面を参照しつつ、本発明に係る蓄熱壁を適用した間接型蓄壁構造の好適な実施形態について詳細に説明する。
【００１５】
まず、第１実施形態について説明する。図１〜図３に示すように、間接型蓄壁構造１は、建物Ｘの壁（建物外壁）Ｗ２の開口部に設けられたガラス窓２と、蓄熱壁３と、ガラス窓２及び蓄熱壁３の間に配置された遮蔽材４０（図３参照）とを含んで構成されている。ガラス窓２は、建物Ｘの角部に位置し、ガラス窓２の一方側の側部が壁Ｗ２と面の広がり方向が直交する壁Ｗ１に当接している（図２参照）。
【００１６】
ガラス窓２は、一対の窓ガラス部２ａ及び窓ガラス部２ｂを備える。ガラス窓２の開閉形式は、窓ガラス部２ａ及び窓ガラス部２ｂを水平方向にスライドさせて開閉を行う引違形式となっている。
【００１７】
蓄熱壁３は、ガラス窓２の窓面のうち下方側の部位に対向するように、ガラス窓２よりも建物Ｘの室内Ｂ側に配置される。また、蓄熱壁３は、壁Ｗ２の室内側の面から所定の離間寸法を有して配置され、ガラス窓２と蓄熱壁３との間に収容空間Ｚが設けられている。
【００１８】
蓄熱壁３として、ＡＬＣ（Autoclaved  Light-weight  Concrete；軽量気泡コンクリート）から成る複数枚のパネルを用いることができる。なお、蓄熱壁３の室外Ａ側（ガラス窓２側）の面には、ＡＬＣの素地に黒色の塗装が施されている。これにより、蓄熱壁３の室外Ａ側の面に入射した太陽光の集光効率を高めることができる。
【００１９】
蓄熱壁３の下端部は、床Ｆに載置されている。蓄熱壁３における壁Ｗ１側の側端部は、壁Ｗ１或いは壁Ｗ１内の柱等に連結されている。蓄熱壁３における、壁Ｗ１等に連結された側に対して反対側の側端部は、床Ｆに立設された側枠３１に連結されている。蓄熱壁３の上端部は、側枠３１と壁Ｗ１とに架け渡された上枠３７に連結されている。
【００２０】
上枠３７には、収容空間Ｚの上方側と建物Ｘの室内Ｂ側の空間とを区画する上部開閉板（蓋）３５が設けられている。即ち、上部開閉板３５は、上枠３７とガラス窓２との間を封止可能となっている。上部開閉板３５は、蝶番等によって回動可能に上枠３７に取り付けられている。上部開閉板３５を開閉することで、収容空間Ｚと室内Ｂ側の空間とを区画したり、収容空間Ｚと室内Ｂ側の空間とを連通させたりすることができる。
【００２１】
側枠３１には、収容空間Ｚの側方（側枠３１と壁Ｗ２との間）側と建物Ｘの室内Ｂ側の空間とを区画する側部開閉板（蓋）３６が設けられている。即ち、側部開閉板３６は、側枠３１と壁Ｗ２との間を封止可能となっている。側部開閉板３６は、蝶番等によって回動可能に側枠３１に取り付けられている。側部開閉板３６を開閉することで、収容空間Ｚと室内Ｂ側の空間とを区画したり、収容空間Ｚと室内Ｂ側の空間とを連通させたりすることができる。
【００２２】
ガラス窓２の窓面に対向するように蓄熱壁３を配置したので、ガラス窓２から室内Ｂへ入射する太陽光の一部は蓄熱壁３のガラス窓２側の面に到達し、残りは室内Ｂの床Ｆや壁等に到達する。即ち、蓄熱壁３におけるガラス窓２側の面が、入射した太陽光を受ける集熱面３ａとなる。集熱面３ａに到達した太陽光により、蓄熱壁３が暖められる。蓄熱壁３は、蓄熱機能を有しており、蓄熱が可能となっている。
【００２３】
また、蓄熱を行う際に、上部開閉板３５及び側部開閉板３６を閉状態とし、収容空間Ｚと室内Ｂ側の空間とが区画された状態とする。これにより、効率よく蓄熱を行うことができる。また、上部開閉板３５或いは側部開閉板３６を開状態とすることにより、室内Ｂ側の空間から収容空間Ｚ内へ容易に手等を入れたりすることができる。また、上部開閉板３５或いは側部開閉板３６を開状態とすることにより、室内Ｂ側から収容空間Ｚ内を容易に目視できる。
【００２４】
収容空間Ｚは、この空間内に手を入れてガラス窓２の下部の窓面を拭く等、収容空間Ｚ内の掃除やメンテナンス等の作業が可能となっている。
【００２５】
遮蔽材４０は、ガラス窓２と蓄熱壁３との間の収容空間Ｚ内に配置される。遮蔽材として、板状の断熱材が用いられる。遮蔽材４０は、蓄熱壁３の集熱面３ａを被覆及び開放が自在となるように収容空間Ｚ内に介装されている。即ち、遮蔽材４０は、上部開閉板３５或いは側部開閉板３６を開状態とすることにより、収容空間Ｚの端部から収容空間Ｚへの出し入れが可能となっている。
【００２６】
外気温度が下がる例えば夕方や夜間は、蓄熱壁３に蓄えられた熱が屋外に放出されないようにすることが望ましい。このため、蓄熱壁３に蓄えられた熱を放出させたくないときに、遮蔽材４０を収容空間Ｚ内に搬入し、蓄熱壁３の集熱面３ａを被覆する。一方、太陽光によって蓄熱壁３に蓄熱させたいときに、遮蔽材４０を収容空間Ｚ内から取り出し、蓄熱壁３の集熱面３ａを開放状態（太陽光が集熱面３ａに入射する状態）とする。
【００２７】
本実施形態は以上のように構成され、壁Ｗ２の室内側の面と蓄熱壁３との間に形成される収容空間Ｚが、室内Ｂ側の空間から容易にアクセス可能となっている。即ち、室内Ｂ側から収容空間Ｚ内へ手等を入れたり、室内Ｂ側から収容空間Ｚ内を目視したりすることが容易にできるようになっている。これにより、室内側から遮蔽材４０を目視しながら容易かつ確実に収容空間Ｚに出し入れすることができ、遮蔽材４０による蓄熱壁３の確実な被覆及び開放が可能となる。このように、目視しながら遮蔽材４０を収容空間Ｚに出し入れすることができるので、遮蔽材４０による集熱面３ａの被覆及び開放の操作性が向上する。また、室内側から収容空間Ｚへ容易にアクセス可能となっていることで、収容空間Ｚ内のメンテナンス性も向上する。
【００２８】
また、遮蔽材４０として板状の断熱材を用いることで、収容空間Ｚ内への遮蔽材４０の設置が容易となり、確実に蓄熱壁３の集熱面３ａを被覆することができる。これにより、蓄熱壁３に蓄えられた熱が屋外に放出されることをより確実に防止することができる。また、板状の断熱材は、断熱性能の異なるものが多数存在するため、所望の断熱性能を有する遮蔽材４０を容易に得ることができる。
【００２９】
また、収容空間Ｚの端部に上部開閉板３５及び側部開閉板３６を設けることで、上部開閉板３５及び側部開閉板３６を閉状態とした場合には、収容空間Ｚと室内Ｂ側の空間とをより確実に区画することができ、蓄熱壁３による蓄熱効率を向上させることができる。
【００３０】
また、上部開閉板３５及び側部開閉板３６は開閉可能となっているので、遮蔽材４０を出し入れする際には上部開閉板３５或いは側部開閉板３６を開状態とすることにより、目視した状態で遮蔽材４０を出し入れすることができ、操作性が低下することがない。また、収容空間Ｚ内のメンテナンスを行う際には上部開閉板３５或いは側部開閉板３６を開状態とすることにより、収容空間Ｚ内に容易にアクセスが可能となるため、メンテナンス性が低下することがない。
【００３１】
次に、第２実施形態について説明する。第１実施形態では、ガラス窓２の下側を蓄熱壁３で覆うものとしたが、第２実施形態では、ガラス窓２の右半分を蓄熱壁で覆うものである。以下の説明において、第１実施形態と同じ構成要素については同一番号を付して説明を省略する。
【００３２】
図４（ａ）及び図４（ｂ）に示すように、第２実施形態に係る間接型蓄熱壁構造１Ａは、建物Ｘの壁Ｗ２の開口部に設けられたガラス窓２と、蓄熱壁３Ａと、ガラス窓２及び蓄熱壁３Ａの間に配置された遮蔽材４０Ａとを含んで構成されている。
【００３３】
蓄熱壁３Ａは、ガラス窓２を室内Ｂ側から見たときにガラス窓２の窓面のうち右側の部位に対向するように、ガラス窓２よりも建物Ｘの室内側に配置される。また、蓄熱壁３Ａは、壁Ｗ２の室内側の面から所定の離間寸法を有して配置され、ガラス窓２と蓄熱壁３Ａとの間に収容空間Ｚが設けられている。蓄熱壁３Ａとして、ＡＬＣから成る複数枚のパネルを用いることができる。
【００３４】
蓄熱壁３Ａの上端と壁Ｗ２との間には上部板３５Ａが設けられている。即ち、上部板３５Ａは、ガラス窓２と蓄熱壁３Ａとの間に形成される収容空間Ｚの上方側と室内Ｂ側の空間とを区画している。
【００３５】
室内Ｂ側から蓄熱壁３Ａを見たときに、蓄熱壁３Ａの左側の側部に設けられた側枠には、収容空間Ｚの側方（側枠とガラス窓２との間）と室内Ｂ側の空間とを区画する側部開閉板（蓋）３６Ａが設けられている。側部開閉板３６Ａは、蝶番等によって回動可能に側枠に取り付けられている。側部開閉板３６Ａを開閉することで、収容空間Ｚと室内Ｂ側の空間とを区画したり、収容空間Ｚと室内Ｂ側の空間とを連通させたりすることができる。また、側部開閉板３６Ａを開状態とすることにより、室内Ｂ側の空間から収容空間Ｚ内へ容易に手等を入れることができる。また、側部開閉板３６Ａを開状態とすることにより、室内Ｂ側から収容空間Ｚ内を容易に目視できる。
【００３６】
室内Ｂ側から蓄熱壁３Ａを見たときに、蓄熱壁３Ａの右側の側部に設けられた側枠には側部板が設けられ、収容空間Ｚと室内Ｂ側の空間とを区画している。
【００３７】
遮蔽材４０Ａは、ガラス窓２と蓄熱壁３Ａとの間の収容空間Ｚ内に配置される。遮蔽材４０Ａは、蓄熱壁３Ａの集熱面３ａを被覆及び開放が自在となるように収容空間Ｚ内に介装されている。即ち、遮蔽材４０Ａは、側部開閉板３６Ａを開状態とすることにより、収容空間Ｚの端部から収容空間Ｚへの出し入れが可能となっている。
【００３８】
以上のように、第２実施形態においても、第１実施形態と同様に、室内Ｂ側の空間から収容空間Ｚへ容易にアクセス可能となっていることにより、室内Ｂ側から遮蔽材４０Ａを目視しながら容易かつ確実に収容空間Ｚに出し入れすることができる。このように、遮蔽材４０Ａの出し入れが容易となることで、遮蔽材４０Ａによる集熱面３ａの被覆及び開放の操作性が向上する。また、室内Ｂ側から収容空間Ｚへ容易にアクセス可能となっていることで、収容空間Ｚ内のメンテナンス性も向上する。
【００３９】
次に、第３実施形態について説明する。第１及び第２実施形態では、蓄熱壁を板状の遮蔽材で覆うものとしたが、第３実施形態では、遮蔽材として、カーテンを用いるものである。以下の説明において、第１及び第２実施形態と同じ構成要素については同一番号を付して説明を省略する。
【００４０】
図５（ａ）及び図５（ｂ）に示すように、第３実施形態に係る間接型蓄熱壁構造１Ｂは、建物Ｘの壁Ｗ２の開口部に設けられたガラス窓２と、蓄熱壁３Ａと、ガラス窓２の室内側の面を被覆及び開放するカーテンユニット４０Ｂとを含んで構成されている。
【００４１】
カーテンユニット４０Ｂは、カーテン４２Ａと、カーテン（遮蔽材）４２Ｂと、カーテンレール４１とを含んで構成されている。カーテン４２Ａは、ガラス窓２を室内Ｂ側から見てガラス窓２の左側の面を被覆及び開放するものであり、カーテン４２Ｂは、ガラス窓２を室内Ｂ側から見てガラス窓２の右側の面を被覆及び開放するものである。また、カーテン４２Ｂは、蓄熱壁３Ａとガラス窓２との間の収容空間Ｚ内に配置されている。カーテン４２Ａ及び４２Ｂとして、断熱性を有する素材を用いる。
【００４２】
カーテンレール４１は、ガラス窓２の上部位置に設けられている。カーテン４２Ａ及び４２Ｂは、カーテンレール４１の延在方向に沿って水平方向に移動する。なお、カーテンレール４１と側部開閉板３６Ａとが干渉しないように、側部開閉板３６Ａの上部に切欠き等を設けることができる。
【００４３】
これにより、カーテン４２Ｂをカーテンレール４１の延在方向に沿って水平移動させることで、カーテン４２Ｂによって、蓄熱壁３Ａの集熱面の被覆及び開放が自在となる。外気温度が下がる例えば夕方や夜間は、蓄熱壁３Ａに蓄えられた熱が屋外に放出されることを防止するために、カーテン４２Ｂによって蓄熱壁３Ａを覆う。一方、太陽光によって蓄熱壁３Ａに蓄熱させたいときに、カーテン４２Ｂをカーテンレール４１の端に寄せて、蓄熱壁３Ａの集熱面を開放させる。
【００４４】
また、カーテン４２Ａをカーテンレール４１の延在方向に沿って水平移動させることで、カーテン４２Ａによって、ガラス窓２の左側の面の被覆及び開放が自在となる。なお、カーテン４２Ｂを操作する際には、側部開閉板３６Ａを開状態とし、収容空間Ｚ内のカーテン４２Ｂを操作する。
【００４５】
以上のように、側部開閉板３６Ａを開状態とすることで、室内Ｂ側の空間から収容空間Ｚへ容易にアクセス可能となる。これにより、蓄熱壁３Ａの集熱面を被覆及び開放自在に設けられたカーテン４２Ｂを、室内Ｂ側から目視しながら、容易かつ確実に操作を行うことができ、カーテン４２Ｂの操作性が向上する。また、側部開閉板３６Ａを開状態とすることで、室内Ｂ側から収容空間Ｚへ容易にアクセス可能となり、収容空間Ｚ内のメンテナンス性も向上する。
【００４６】
次に、第４実施形態について説明する。第３実施形態では、ガラス窓２の右半分を蓄熱壁３Ａで覆うものとしたが、第４実施形態では、ガラス窓２の上半分を蓄熱壁で覆うものである。以下の説明において、第３実施形態と同じ構成要素については同一番号を付して説明を省略する。
【００４７】
図６（ａ）及び図６（ｂ）に示すように、第３実施形態に係る間接型蓄熱壁構造１Ｃは、建物Ｘの壁Ｗ２の開口部に設けられたガラス窓２と、蓄熱壁３Ｃと、ガラス窓２の室内側の面を被覆及び開放するカーテンユニット４０Ｃとを含んで構成されている。
【００４８】
蓄熱壁３Ｃは、ガラス窓２の窓面のうち上方側の部位に対向するように、ガラス窓２よりも建物Ｘの室内Ｂ側に配置される。また、蓄熱壁３Ｃは、壁Ｗ２の室内側の面から所定の離間寸法を有して配置され、ガラス窓２と蓄熱壁３Ｃとの間に収容空間Ｚが設けられている。蓄熱壁３Ｃとして、ＡＬＣから成る複数枚のパネルを用いることができる。
【００４９】
蓄熱壁３Ｃの上端と壁Ｗ２との間には上部板３５Ｃが設けられている。即ち、上部板３５Ｃは、ガラス窓２と蓄熱壁３Ｃとの間に形成される収容空間Ｚの上方側と室内Ｂ側の空間とを区画している。
【００５０】
室内Ｂ側から蓄熱壁３Ｃを見たときに、蓄熱壁３Ｃの左側の側部と壁Ｗ２との間には側部板３６Ｃが設けられている。即ち、側部板３６Ｃは、ガラス窓２と蓄熱壁３Ｃとの間に形成される収容空間Ｚの側方と室内Ｂ側の空間とを区画している。同様に、蓄熱壁３Ｃの右側の側部と壁Ｗ２との間には側部板が設けられ、この側部板によって収容空間Ｚの側方と室内Ｂ側の空間とが区画されている。
【００５１】
蓄熱壁３Ｃの下端に設けられた下枠３４（図６（ｂ）参照）には、収容空間Ｚの下方側と建物Ｘの室内Ｂ側の空間とを区画する下部開閉板（蓋）３８が設けられている。即ち、下部開閉板３８は、下枠３４とガラス窓２との間を封止可能となっている。下部開閉板３８は、蝶番等によって回動可能に下枠３４に取り付けられている。下部開閉板３８を開閉することで、収容空間Ｚと室内Ｂ側の空間とを区画したり、収容空間Ｚと室内Ｂ側の空間とを連通させたりすることができる。
【００５２】
カーテンユニット４０は、カーテン（遮蔽材）４３Ａ及び４３Ｂと、カーテンレール４１とを含んで構成されている。カーテン４３Ａ及び４３Ｂは、収容空間Ｚ内に配置されている。カーテン４３Ａは、ガラス窓２を室内Ｂ側から見てガラス窓２の左側かつ上側の面を被覆及び開放するものであり、カーテン４３Ｂは、ガラス窓２を室内Ｂ側から見てガラス窓２の右側かつ上側の面を被覆及び開放する。カーテン４３Ａ及び４３Ｂとして、断熱性を有する素材を用いる。
【００５３】
カーテンレール４１は、ガラス窓２の上部位置に設けられている。カーテン４３Ａ及び４３Ｂは、カーテンレール４１の延在方向に沿って水平方向に移動する。これにより、カーテン４３Ａ及び４３Ｂをカーテンレール４１の延在方向に沿って水平移動させることで、カーテン４３Ａ及び４３Ｂによって、蓄熱壁３Ｃの集熱面の被覆及び開放が自在となる。外気温度が下がる例えば夕方や夜間は、蓄熱壁３Ｃに蓄えられた熱が屋外に放出されることを防止するために、カーテン４３Ａ及び４３Ｂによって蓄熱壁３Ｃを覆う。一方、太陽光によって蓄熱壁３Ｃに蓄熱させたいときに、カーテン４３Ａ及び４３Ｂをカーテンレール４１の端に寄せて、蓄熱壁３Ｃの集熱面を開放させる。
【００５４】
なお、カーテン４３Ａ及び４３Ｂを操作する際には、下部開閉板３８を開状態とし、収容空間Ｚ内のカーテン４３Ａ及び４３Ｂを操作する。
【００５５】
以上のように、下部開閉板３８を開状態とすることで、室内Ｂ側の空間から収容空間Ｚへ容易にアクセス可能となる。これにより、蓄熱壁３Ｃの集熱面の被覆及び開放自在に設けられたカーテン４３Ａ及び４３Ｂを、室内Ｂ側から目視しながら、容易かつ確実に操作を行うことができ、カーテン４３Ａ及び４３Ｂの操作性が向上する。また、下部開閉板３８を開状態とすることで、室内Ｂ側から収容空間Ｚへ容易にアクセス可能となり、収容空間Ｚ内のメンテナンス性も向上する。
【００５６】
以上、本発明の一実施形態について説明したが、本発明は、上記実施形態に限定されるものではない。例えば、蓄熱壁３，３Ａ及び３Ｃとして、ＡＬＣを用いるものとしたが、これ以外の材料を用いてもよい。
【符号の説明】
【００５７】
１，１Ａ，１Ｂ，１Ｃ…間接型蓄熱壁システム、２…ガラス窓、３，３Ａ，３Ｃ…蓄熱壁、３ａ…集熱面、４０，４０Ａ…遮蔽材、４１…カーテンレール、４２Ｂ，４３Ａ，４３Ｂ…カーテン（遮蔽材）、３５…上部開閉板（蓋）、３６，３６Ａ…側部開閉板（蓋）、３８…下部開閉板（蓋）、Ｂ…室内、Ｗ２…壁（建物外壁）、Ｚ…収容空間。
【図１】
0005889717.tif 000002
【図２】
0005889717.tif 000003
【図３】
0005889717.tif 000004
【図４】
0005889717.tif 000005
【図５】
0005889717.tif 000006
【図６】
0005889717.tif 000007